(57)【要約】【課題】柱頭部において、梁又は桁の下面から柱に沿って真っ直ぐに垂下した棒状の補強具を介在させることができる補強構造を提供する。【解決手段】アンカ部分１１とボルト部分１２とを一直線状に形成した補強具１０を用いた柱頭部の補強構造であって、梁又は桁２の下面にそのアンカ部分１１をねじ込み、該アンカ部分１１から垂下したボルト部分１２を、柱１の側面に固定したホールダウン金物２０に係止させたことを特徴とする。【選択図】図２
2008019584.tif 000002
【特許請求の範囲】
【請求項１】
アンカ部分とボルト部分とを一直線状に形成した補強具を用いて、柱と横架材との軸組を補強する補強構造であって、
前記柱のほぞをほぞ穴に差し込んである前記横架材の下面に、前記アンカ部分をねじ込み、該アンカ部分から前記柱の側面に沿って延びる前記ボルト部分を、当該柱の側面に固定したホールダウン金物に係止させたことを特徴とする補強構造。
【請求項２】
アンカ部分とボルト部分とを一直線状に形成した補強具を用いて、通し柱と横架材との軸組を補強する補強構造であって、
前記横架材のほぞをほぞ穴に差し込んである前記通し柱の側面に、前記アンカ部分をねじ込み、該アンカ部分から前記横架材の下面に沿って延びる前記ボルト部分を、当該横架材の下面に固定したホールダウン金物に係止させたことを特徴とする補強構造。
【請求項３】
アンカ部分とボルト部分とを一直線状に形成した補強具を用いて、柱と横架材との軸組を補強する補強構造であって、
前記柱のほぞをほぞ穴に差し込んである前記横架材の上面に、前記アンカ部分をねじ込み、該アンカ部分から前記柱の側面に沿って延びる前記ボルト部分を、当該柱の側面に固定したホールダウン金物に係止させたことを特徴とする補強構造。
【請求項４】
前記補強具は、前記アンカ部分の側面に、先端から軸方向へ所定の長さで、１以上の溝を掘ってあることを特徴とする請求項１〜３のいずれか１項に記載の補強構造。
【請求項５】
前記補強具は、前記アンカ部分が、先端から形成されたねじ部と、該ねじ部より大径の頭部と、からなり、前記ボルト部分の一端部を前記頭部にねじ込んで固定したものであることを特徴とする請求項４記載の補強構造。
【請求項６】
前記ボルト部分の一端部は、前記頭部にねじ込んで溶接してあることを特徴とする請求項５記載の補強構造。
【発明の詳細な説明】
【技術分野】
【０００１】
本発明は、木造軸組建築物における柱と横架材（梁、桁、土台）との軸組を強化する補強構造に関する。
【背景技術】
【０００２】
既設の木造軸組建築物について、その耐震強度を増す補強構造として、特許文献１や特許文献２に開示されている補強構造が知られている。このような補強構造はいずれも、建築物の外側から施工することを可能としてあり、土台もしくは柱と基礎とを連結するようにした主に柱脚部の軸組補強構造である。
【特許文献１】特許第３２４１６０６号公報
【特許文献２】特許第３７４２７０３号公報
【発明の開示】
【発明が解決しようとする課題】
【０００３】
上記従来技術の補強構造は、柱や土台、基礎の各側面にアンカを打ち込んで連結体で締結するというものであり、住宅の外側からの施工を目的としている。しかし、柱頭部においては、小屋根があったりして外側からの施工ができない場合があり、特許文献記載のような補強構造では施工を断念せざるを得ないことが多い。
【０００４】
本発明ではこの点に着目し、室内側から施工することのできる軸組の補強構造を提案するものである。
【課題を解決するための手段】
【０００５】
本発明の補強構造は、アンカ部分とボルト部分とを一直線状に形成した補強具を用いて、柱と横架材との軸組を補強する補強構造であって、柱のほぞをほぞ穴に差し込んである横架材の下面に、アンカ部分をねじ込み、該アンカ部分から柱の側面に沿って延びるボルト部分を、当該柱の側面に固定したホールダウン金物に係止させたことを特徴とする。
【０００６】
また、アンカ部分とボルト部分とを一直線状に形成した補強具を用いて、通し柱と横架材との軸組を補強する補強構造であって、横架材のほぞをほぞ穴に差し込んである通し柱の側面に、アンカ部分をねじ込み、該アンカ部分から横架材の下面に沿って延びるボルト部分を、当該横架材の下面に固定したホールダウン金物に係止させたことを特徴とする。
【０００７】
さらに、アンカ部分とボルト部分とを一直線状に形成した補強具を用いて、柱と横架材との軸組を補強する補強構造であって、柱のほぞをほぞ穴に差し込んである横架材の上面に、アンカ部分をねじ込み、該アンカ部分から柱の側面に沿って延びるボルト部分を、当該柱の側面に固定したホールダウン金物に係止させたことを特徴とする。
【発明の効果】
【０００８】
本発明の補強構造によれば、柱及び横架材の側面どうしを連結するのではなく、横架材の下面又は上面と柱の側面とを連結する補強具を使用しているので、外壁と内壁との間の間隙内で作業、施工することができる。したがって、壁材を取り払った室内からの施工が可能で、施工後は壁内に隠してしまうことができる。
【０００９】
さらに、ほぞ穴からほぞを引き抜く方向に補強具の軸方向が配設されることにより、当該方向の力が補強具のせん断方向にはほぼ働かない補強構造を提供することができるので、構造的に強く、木造建築においてさらなる増強を図ることが可能である。
【発明を実施するための最良の形態】
【００１０】
図１〜図３に、本発明の補強構造について、好適な実施形態をいくつか示している。
【００１１】
本発明の補強構造は、図１に例示するような柱１と横架材（梁又は桁２、土台３）との軸組を強化するものである。すなわち、柱頭部Ａの柱１と梁又は桁２との間、柱脚部Ｂの柱１と土台３との間の軸組を補強することができる。梁又は桁２の下方室内側には天井板４が、土台３の上方室内側には床板５が張られている。なお、施工にあたって内壁は取り払ってある。
【００１２】
図２には、柱頭部Ａにおける補強構造が示されている。図示の柱頭部Ａでは、柱１のほぞ１ａを、梁又は桁２の下面に設けられたほぞ穴２ａに差し込んである。
【００１３】
本実施形態の補強構造における補強具１０は、アンカ部分１１とボルト部分１２とを一直線状に形成してあり、そのアンカ部分１１を梁又は桁２の下面にねじ込み、そして、該アンカ部分１１から柱１の側面に沿って下方へ延びるボルト部分１２を、当該柱１の側面に固定したホールダウン金物２０に通し、ボルト１３を締め込んで係止させてある。したがって補強具１０は、梁又は桁２の下面から柱１の側面に沿って真っ直ぐに垂下するものとなっており、外壁と内壁に挟まれた柱１及び梁又は桁２の幅内で施工することができる。
【００１４】
図１に示すように、柱頭部Ａの下方３０〜４０ｃｍほどの高さには天井板４が存在しており、室内壁材を取り払ってもなお天井板４が邪魔をして、上記特許文献のような側面どうしの施工はできない。本発明の補強構造の場合は、天井板４の隙間（柱１の幅分）から補強具１０を差し入れて作業することができるので、支障なく施工することができる。
【００１５】
このように柱頭部Ａに介在する補強具１０は、柱１を梁又は桁２から引き抜こうとする力を、その軸方向に受けることになるので、せん断ではなく、引張りもしくは圧縮強度で対抗することができる。したがって、本発明の補強構造は耐久性が高い。
【００１６】
ホールダウン金具２０は、Ｌ字形の金具を木ねじ２１で柱１の側面に固定する市販品を流用することができる。あるいは、上記特許文献１に開示されているような木質材用アンカ（文献図３、図１１参照）を使用することもできる。
【００１７】
図２に示す柱頭部Ａにおける補強構造は、そのまま上下を逆にし、図中の梁又は桁２を土台３と考えれば、柱脚部Ｂにおける補強構造に応用することができる。すなわち、土台３の上面にアンカ部分１１をねじ込み、該アンカ部分から柱１の側面に沿って上方へ延びるボルト部分１２を、当該柱１の側面に固定したホールダウン金物２０に係止させたものである。
【００１８】
この他、図３には、柱１が通し柱の場合の実施形態を示している。この場合、通し柱１の側面にほぞ穴１ａが開けられ、梁又は桁２のほぞ２ａを差し込んである。
【００１９】
補強具１０は、通し柱１の側面にアンカ部分１１をねじ込み、該アンカ部分１１から梁又は桁２の下面に沿って横方向へ延びるボルト部分１２を、当該梁又は桁２の下面に固定したホールダウン金物２０に通し、ボルト１３を締め込んで係止させてある。すなわち、図２の実施形態の補強具１０を横向きにして施工したものであり、その作用効果は同様である。
【００２０】
上記各実施形態に係る補強具１０の詳細を図４に示す。当該補強具１０は、アンカ部分１１が、先端から形成したねじ部１１ａと、該ねじ部１１ａ（の少なくとも谷径）より大径の頭部１１ｂと、からなり、その頭部１１ｂに、ボルト部分１２をねじ込むためのねじ穴１１ｃが凹設されている。このねじ穴１１ｃにボルト部分１２の一端部がねじ込まれて固定されており、特に本例の場合、ボルト部分１２の一端部をねじ込んだうえにさらに溶接１２ａを施して緩み止めし、固定強化してある。
【００２１】
ボルト部分１２は、全長が３０〜５０ｃｍほどある長いものにしてあり、特に天井板４の隙間からその奥の梁又は桁２へアンカ部分１１をねじ込む作業を、行い易いようになっている。ボルト部分１２が長ければ、ホールダウン金物２０の取り付け位置も、天井板４に近く、あるいは天井板４よりも下へ出すことができるので、作業が容易である。このボルト部分１２の他端部（頭部）には、六角ナット１３を螺合させられるようにしてあり、アンカ部分１１をねじ込む際に、六角ナット１３をインパクトドリル等で回転させることでねじ込めるようになっている（図５）。六角ナット１３は、有底のねじ穴１３ａをボルト１２へ螺合させて使用する回転補助具である。
【００２２】
また、補強具１０のアンカ部分１１におけるねじ部１１ａには、先端から所定の長さで凹形の溝１１ｄが軸方向へ掘られている。この溝１１ｄは、当該アンカ部分１１を柱１や横架材２，３にねじ込むときに、その切り立った側面及び該側面のエッジが彫刻刀のように木肌をこそぎとる機能を発揮し、且つその削り屑が溝１１ｄ内に溜まることにより、柱１や横架材２，３の割れを未然に防ぐように働く。
【図面の簡単な説明】
【００２３】
【図１】柱と横架材の軸組例を示す概略図。
【図２】本発明に係る補強構造の一例を示した柱頭部の図。
【図３】本発明に係る補強構造の他の例を示した通し柱の梁（桁）部分の図。
【図４】本発明に係る補強構造に使用する補強具の例を示した図。
【図５】補強具のねじ込み時に使用する回転補助具を示した図。
【符号の説明】
【００２４】
１  柱
２  梁又は桁（横架材）
３  土台（横架材）
１０  補強具
１１  アンカ部分
１１ａ  ねじ部
１１ｂ  頭部
１１ｄ  溝
１２  ボルト部分
２０  ホールダウン金具
【図１】
2008019584.tif 000003
【図２】
2008019584.tif 000004
【図３】
2008019584.tif 000005
【図４】
2008019584.tif 000006
【図５】
2008019584.tif 000007